(57)【要約】【課題】ヒーター装置敷設に於ける施行作業の面倒さや煩わしさを解消し、施行作業の更なる簡素化を図り、併せてトータルコストの低減を図った床暖房用ヒーター装置を提供する。【解決手段】平面状の発熱体を利用したヒーターと該ヒーターに接続される電線からなり、前記電線をフラット電線とし、該フラット電線と前記ヒーターに於ける電極との接続を板状の接続部材で行い、該接続部材の一方端部を前記フラット電線に、他方端部を前記電極に、電気的に接続する。【選択図】図１
2007315736.tif 000002
【特許請求の範囲】
【請求項１】
平面状の発熱体を利用したヒーターと該ヒーターに接続される電線からなり、前記電線をフラット電線とし、該フラット電線と前記ヒーターに於ける電極との接続を板状の接続部材で行い、該接続部材の一方端部を前記フラット電線に、他方端部を前記電極に、電気的に接続するようにしたことを特徴とする床暖房用ヒーター装置。
【請求項２】
フラット電線とヒーターに於ける電極との電気的接続を行なう接続部材を導電性材料とすると共に、同一面側に切り起こし部とバーリング部をそれぞれ複数個形成した部分を端部近傍と他の２ヶ所に設け、端部近傍部分を折り曲げた時に、切り起こし部同士とバーリング部同士を当接可能状態となし、これによって、前記フラット電線を挟み込むように接続したことを特徴とする請求項１記載の床暖房用ヒーター装置。
【発明の詳細な説明】
【技術分野】
【０００１】  床暖房装置に使用される平面状を呈したヒーターであって、特に、前記ヒーターと電気的に接続される電線とを含む床暖房用ヒーター装置に関するものである。
【背景技術】
【０００２】  床暖房装置には、幾つかの種類（方法）があるが、現在、価格面と暖房効率とのバランスから、平面状の発熱体を利用した装置を床の下側に敷設する方法が広く採用され、普及の度合を高めている。この方法は、前述したように、部屋の所定面積に相当する床下側に、平面状の発熱体を利用した装置であるヒーター装置を敷設した後、該ヒーター装置を電気的に接続するだけで良いので、施行も比較的簡単である。【０００３】  こうしたヒーター装置に於ける電気的な接続は、従来から、ケーブル状の電線を使用し、該電線とヒーター装置の電極を接続し、ケーブル状の電線の端部に配設したソケットをコンセントに差し込むことで行なわれている。
【発明の開示】
【発明が解決しようとする課題】
【０００４】  然しながら、ケーブル状の電線を使用する接続方法では、ヒーター装置の電極との接続にコネクタが必要となる。通常コネクタは、直方体のような形状で、所定の高さをもっていることから、ヒーター装置敷設に於いては、この高さを吸収しなければならない。何故なら、そのまま敷設した場合は、床面がコネクタの高さの分浮き上がってしまい、敷設状態が不安定になるばかりでなく、床としての水平面が、確保出来なくなる。従って、ヒーター装置を設置する下地材に溝を設け、この溝にコネクタを配設するようにしなければならない。しかも、コネクタの高さが、比較的大きいため、下地材の溝深さもコネクタの高さに応じた深さとする必要があり、この溝を部分的に形成するか、コネクタ使用部分を含んで広い範囲形成するか、いずれにしても、溝形成は簡単ではなく、下地材の強度的な問題も発生する。下地材の厚さを大きくすれば強度的な問題は解消するにしてもコストアップの要因となってしまう。そして、コネクタによる接続は、ヒーター装置のプラス側電極とマイナス側電極をそれぞれコネクタに接続し、更にケーブルをコネクタに接続することになるが、ほとんど手作業で行うことになり、ヒーター装置敷設に於ける施行作業は、比較的簡単とは云いながら、やはり面倒で煩わしいものとなっている。【０００５】  本発明は、こうした従来技術に鑑み、ヒーター装置敷設に於ける施行作業の面倒さや煩わしさを解消し、施行作業の更なる簡素化を図り、併せてトータルコストの低減を図った床暖房用ヒーター装置を提供することを目的としている。
【課題を解決するための手段】
【０００６】  上記目的を達成するために、請求項１記載の発明は、平面状の発熱体を利用したヒーターと該ヒーターに接続される電線からなり、前記電線をフラット電線とし、該フラット電線と前記ヒーターに於ける電極との接続を板状の接続部材で行い、該接続部材の一方端部を前記フラット電線に、他方端部を前記電極に、電気的に接続するようにしたものである。このように構成したことにより、ヒーターだけでなく、電線も薄くなり、これによって、ヒーターと電極との接続を板状の接続部材で行なえるようになるので、ヒーター装置全体を薄くすることが可能となり、取扱いが簡単になるばかりでなく、フラット電線部分に於ける下地材の溝の成形が簡単となり、更に板状の接続部材を使用したことにより、フラット電線と電極との接続を所定の工具でもって、極めて簡単に行なえるようになることから、施行作業の簡素化が図れ、面倒さや煩わしさを解消することが出来ると同時にコスト低減をも図ることが出来る。【０００７】  請求項２記載の発明は、フラット電線とヒーターに於ける電極との電気的接続を行なう接続部材を導電性材料とすると共に、同一面側に切り起こし部とバーリング部をそれぞれ複数個形成した部分を端部近傍と他の２ヶ所に設け、端部近傍部分を折り曲げた時に、切り起こし部同士とバーリング部同士を当接可能状態となし、これによって、前記フラット電線を挟み込むように接続したものである。このように構成したことにより、バーリング部が当設した時に、切り起こし部の先端がフラット電線を突き破るように接続されるので、確実な接続が行なわれるのと併せ、接続部材を導電性材料としたので、フラット電線アセンブリーの保護膜を取り除く必要はなくなり、接続作業性の向上を図ることが出来る。
【発明の効果】
【０００８】  本発明は、以上説明したように構成されているので、下記に説明するような効果を奏する。【０００９】  本発明による床暖房用ヒーター装置は、平面状の発熱体を利用したヒーターと該ヒーターに接続される電線からなり、前記電線をフラット電線とし、該フラット電線と前記ヒーターに於ける電極との接続を板状の接続部材で行い、該接続部材の一方端部を前記フラット電線に、他方端部を前記電極に、電気的に接続するようにしたので、施行作業の簡素化が図れ、面倒さや煩わしさを解消することが出来ると同時にコスト低減をも図ることが出来る。【００１０】  更に、本発明による床暖房用ヒーター装置は、フラット電線とヒーターに於ける電極との電気的接続を行なう接続部材を導電性材料とすると共に、同一面側に切り起こし部とバーリング部をそれぞれ複数個形成した部分を端部近傍と他の２ヶ所に設け、端部近傍部分を折り曲げた時に、切り起こし部同士とバーリング部同士を当接可能状態となし、これによって、前記フラット電線を挟み込むように接続したので、確実な接続が行なわれるのと併せ、接続時に於いて、フラット電線アセンブリーの保護膜を取り除く必要はなくなり、接続作業性の向上を図ることが出来る。
【発明を実施するための最良の形態】
【００１１】  以下、本発明の実施の形態を図１〜図１２に基づき詳細に説明する。図１は本発明による床暖房用ヒーター装置に於ける一実施形態を示す平面図であって、図２は図１のＺ部拡大図、図３は図２のＡ−Ａ断面図、図４は同じく図２のＢ−Ｂ断面図であり、図５は本発明による床暖房用ヒーター装置に使用する接続部材の正面図であって、図６は図５のＸ矢視図、図７は同じく図５のＹ矢視図であり、図８は図６のＤ−Ｄ断面図、図９は同じく図６のＥ−Ｅ断面図で、図１０は図１のＣ−Ｃ断面図、図１１は本発明による床暖房用ヒーター装置の敷設状態を示す簡略説明図、そして図１２は図１１のＦ−Ｆ断面図である。【００１２】  本発明による床暖房用ヒーター装置は、平面状の発熱体である面状発熱体を利用したヒーターと該ヒーターを電源につなげるための電線（ケーブル）を含むものであり、順次その構成を説明する。【００１３】  それでは、図１と図２及び図１０を参照しながら、平面状（平面視長方形）を呈したヒーター１について説明する。ヒーター１は、ポリエチレン製のベース１５の表面に銀部分１０，１３とＰＴＣ部分１１，１２そしてホットメルト部分９，１４を印刷により被着し、その上面をポリエチレン製のカバー１６で覆ったものとなっている。尚、図１及び図２に於いて、カバー１６を部分的に取り除いた状態で表しているが、内部の構造を判り安くするためであり、通常では、カバー１６が覆われた状態となっているので、付言しておくこととする。図１０では、下側半分のみが示されているが、これは、センターラインＣＬを中心に対象であることから、上側を省略したためである。そこで、念のため、銀部分とＰＴＣ部分そしてホットメルト部分の配列について説明する。図１と図２で理解出来るように、上下方向両端側にホットメルト部分１４，１４、次いでセンターラインＣＬに向かって銀部分１３，１３が配列され、更に銀部分１３，１３それぞれからセンターラインＣＬ方向にＰＴＣ部分１２，１２が続き、一定間隔を置いて、再びＰＴＣ部分１１，１１となり、更に続いて銀部分１０，１０が配列されている。そしてセンターラインＣＬ部がホットメルト部分９となっている。銀部分は、ヒーター１に於ける電極として機能し、ＰＴＣ部分は導電性の発熱体として機能する。ホットメルト部分は接着剤として機能し、ベース１５表面に被着した銀部分やＰＴＣ部分を保護するために覆っているカバー１６を、前記ベース１５に一体的に接着するようになっている。１７は電極（銀部分）で、銀部分１３と連接しており、同じく電極１８は銀部分１０、電極１９は銀部分１３と連接している。即ち銀部分１０，１３の間に、該銀部分１０，１３の長手方向に対して垂直方向に配設された複数の電極は、銀部分１０と銀部分１３に交互に連接するようになっている。尚、本実施形態に於いて説明するヒーター１は、あくまで一実施形態であって、本発明による床暖房用ヒーター装置に適用されるヒーターは、これに限定されるものではないので、念のため、付言して置くこととする。【００１４】  このような構造を持つヒーター１の発熱システムをごく簡単に説明する。電極として機能する銀部分１３，１３と銀部分１０，１０のいずれか一方をプラス側とし、他方側���マイナス側として電気的に接続し、通電すると、それぞれの銀部分から電極１７，１８及び電極１９等銀部分に連接されているそれぞれの電極に電流が流れ、発熱体であるＰＴＣ部分１１，１１、同じくＰＴＣ部分１２，１２が発熱、昇温するシステムとなっている。【００１５】  続いて、ヒーター１とケーブルとの電気的接続方法について説明することにする。本発明に於いては、ケーブルに変えてフラット電線を使用していて、２はフラット電線アセンブリーである。該フラット電線アセンブリー２は、図３と図４に示すように、フラット電線２０と２１を平行に配置した状態で、上下両面を保護材であるポリエステルテープでカバーしたものとなっている。【００１６】  ヒーター１とフラット電線アセンブリー２との電気的接続は、同一面側に切り起こし部とバーリング部をそれぞれ複数個形成した板状の部材である接続部材３，４，５，６を介して行なうのであるが、接続部材３と５及び接続部材４と６は、同じものであって、その使い方も同じであるので、接続部材５と接続部材６を使用した部分を代表として、図３〜図９を参照しながら説明する。【００１７】  接続部材５及び６は、銅や真鍮等導電性材料で作られた板状部材であって、図５に示すように、接続部材５は一端部分を略９０度に折り曲げ加工したものとなっていて、垂直方向の部分に対して、水平方向の部分の長さが大きくなっている。接続部材６との相異は、水平方向の長さのみであって、接続部材６に対して接続部材５の方が大きくなっている。垂直方向の部分と水平方向の部分には、複数の切り起こし部２２、２４とバーリング部２３，２５が形成されている。図６は垂直方向の部分を示し、図７は水平方向の部分を示したものであるが、この両図と図８、図９を参照しながら、更に説明を加えることにする。切り起こし部は、垂直方向の部分及び水平方向の部分それぞれに４ヶ所形成されていて、その位置は、四角形の各コーナー部に相当する位置となっている。そして、垂直方向の部分に於ける切り起こし部２２の切り起こし片が内側に形成しているのに対し、水平方向の部分に於ける切り起こし部２４の切り起こし片は外側に形成されている。バーリング部は、切り起こし部と切り起こし部の中間部分にそれぞれ１ヶ所と中央部に１ヶ所の５ヶ所に形成されていて、これは、垂直方向の部分も水平方向の部分も同様である。垂直方向、水平方向両部分の切り起こし部とバーリング部は、全てが相対する位置に設けられているので、垂直方向の部分をコーナー部で折り曲げ、水平方向の部分に重ね合わせた時に、お互いが当接状態となるようになっている。即ち、切り起こし部２２は切り起こし部２４に、又、バーリング部２３はバーリング部２５に当接状態となるのである。更に、切り起こし部２２は、バーリング部２３より高く形成され、先端が鋭角状になっている。２９はピン部材嵌挿用の孔である。【００１８】  それではここで、ヒーター１とフラット電線アセンブリー２との接続即ち電気的接続方法について詳細に説明する。本実施形態に於いては、電極として機能する銀部分１３とフラット電線２０そして同じく電極として機能する銀部分１０とフラット電線２１を接続する方法を取っているので、それに基づき説明する。��論銀部分１０と銀部分１３のいずれか一方がプラス側であり、いずれか他方がマイナス側となっており、接続相手であるフラット電線もそれに対応したものとなっている。更に、フラット電線アセンブリー２に於けるヒーター１との接続側とは反対側端部には、ソケットが設けられていて、コンセントへの挿入が可能となっているので、付言して置く。【００１９】  図３は銀部分１０とフラット電線アセンブリー２のフラット電線２１との接続を示したものである。そしてその接続は、フラット電線アセンブリー２の一部、具体的には平行状に配設されたフラット電線２０と２１の間に形成した取付け用の孔に、接続部材６の垂直方向の部分を挿入することで始まり、挿入後フラット電線アセンブリー２を挟み込むように、垂直方向の部分をコーナー部を中心にして折り曲げ、水平方向の部分に重ね合わせることで完了する。又、この折り曲げ作業即ち接続作業は、所定の圧着工具を使用するので、非常に簡単に行うことが出来るのである。勿論水平方向の部分は、導電性の材料で形成されたピン部材８でもって、ヒ−ター１に於ける銀部分１０にハトメかしめされている。尚、接続作業時に於いて、ヒーター１に於けるカバーそしてフラット電線サセンブリーに於ける保護膜を取り除く必要はない。それは、接続部材が導電性材料で作られており、且つ接続部材の切り起こし部がフラット電線を突き破るように接続されるからであり、ヒーター１の銀部分と接続部材が導電性材料で作られたピン部材により、ハトメかしめされているからである。然し、カバーや保護膜をそのままとしなければならないということはなく、必要部分を取り除いて接続しても良いのは云うまでもない。【００２０】  図４は銀部分１３とフラット電線アセンブリー２のフラット電線２０との接続を示したものである。ヒーター１の銀部分１３にピン部材７でもってハトメかしめされた接続部材５の水平方向の部分をフラット電線アセンブリー２表面にあてがい、垂直方向の部分をフラット電線アセンブリー２端縁近くに位置させ、前記垂直方向の部分のコーナー部を中心にして折り曲げ、前記フラット電線アセンブリー２を抱き抱えるように重ね合わせる。これによって、銀部分１３とフラット電線２０との接続が行なわれる。しかも、接続部材５の垂直方向の部分の長さは、フラット電線２０の巾に対応させているので、フラット電線２１と干渉することはない。【００２１】  それでは引き続き、図１１と図１２を参照しながら、本発明による床暖房用ヒーター装置の敷設状態について説明する。下地材２６表面にヒーター装置を敷設するのであるが、ヒーター１と電気的に接続されているフラット電線アセンブリー２配設位置に相当する前記下地材２６には浅い（２〜３ｍｍ）平坦状の溝２８が形成されている。該溝２８は接続部材を含むフラット電線アセンブリー２の部分を収容するためのものである。そしてヒーター装置敷設後、その上面に仕上材２７を敷設することで作業は完了する。尚、本発明による床暖房用ヒーター装置は、設置する部屋の大きさ（６畳、８条、１０条等）に対応させるために、連設可能となっている。勿論、標準的な大きさとは異なる場合であっても対応可能であるのは云うまでもない。【００２２】  ヒーター１の連設は、各ヒーター１を下地材２６上に横設させ、横設された各ヒータの一方端部近傍適所にフラット電線アセンブリー２を配置する。そして後、各ヒーター１とフラット電線アセンブリー２を接続部材でもって電気的に接続することで行なわれる。フラット電線アセンブリー２と接続部材との接続部分が溝２８に収容されているのは、前述した通りであって、ヒーター１連設後行なわれる仕上材２７の敷設は、浮き上がりもなく、安定した状態となっている。しかも、本発明による床暖房用ヒーター装置では、ヒーター１とフラット電線アセンブリー２との電気的接続を、前記ヒーター１の一方端部近傍にしてあるので、下地材２６の溝２８は、長手方向に１ヶ所ストレートに設ければ良く、溝深さが浅いということもあり、溝形成が簡単となる。尚、敷設に当たって、ヒーター１とフラット電線アセンブリー２を個々に配置し、そして後、接続部材でもって電気的に接続すると説明したが、必要によっては、両者を前もって接続しておいて、単に下地材２６に配置するようにしても良い。
【図面の簡単な説明】
【００２３】
【図１】本発明による床暖房用ヒーター装置に於ける一実施形態を示す平面図である。
【図２】図１のＺ部拡大図である。
【図３】図２のＡ−Ａ断面図である。
【図４】図２のＢ−Ｂ断面図である。
【図５】本発明による床暖房用ヒーター装置に使用する接続部材の正面図である。
【図６】図５のＸ矢視図である。
【図７】図５のＹ矢視図である。
【図８】図６のＤ−Ｄ断面図である。
【図９】図６のＥ−Ｅ断面図である。
【図１０】図１のＣ−Ｃ断面図である。
【図１１】本発明による床暖房用ヒーター装置の敷設状態を示す簡略説明図である。
【図１２】図１１のＦ−Ｆ断面図である。
【符号の説明】
【００２４】    １  ヒーター                          ＣＬ  センターライン
２  フラット電線アセンブリー
３、４，５，６  接続部材
７、８  ピン部材
９、１４  ホットメルト部分
１０、１３  銀部分
１１、１２  ＰＴＣ部分
１５  ベース
１６  カバー
１７、１８，１９  電極
２０、２１  フラット電線
２２、２４  切り起こし部
２３、２５  バーリング部
２６  下地材
２７  仕上材
２８  溝部
２９  孔
【図１】
2007315736.tif 000003
【図２】
2007315736.tif 000004
【図３】
2007315736.tif 000005
【図４】
2007315736.tif 000006
【図５】
2007315736.tif 000007
【図６】
2007315736.tif 000008
【図７】
2007315736.tif 000009
【図８】
2007315736.tif 000010
【図９】
2007315736.tif 000011
【図１０】
2007315736.tif 000012
【図１１】
2007315736.tif 000013
【図１２】
2007315736.tif 000014